(57)【要約】【課題】  上下水道等の監視施設において、散在して設置されたテレメータ装置が収集する情報を、その施設の係員が、いつでもどこででも必要とする情報を迅速に取得し、理解しやすい情報として表示することが可能なテレメータ情報監視システムを提供する。【解決手段】  本発明のテレメータ情報監視システムでは、遠隔地の浄水場等に設置されたテレメータ装置１が収集する情報を、テレメータセンタ管理装置２が中央で集中して記憶・管理する。また、テレメータ情報提供サーバ３を設け、テレメータ情報提供サーバ３は、携帯電話５から送信される表示項目指示情報を受信すると、表示項目指示情報が指示するテレメータ表示情報をテレメータセンタ管理装置２から取得して、携帯電話５へ返送する。携帯電話５では、受信したテレメータ表示情報をグラフまたはフローシートの形で表示する。【選択図】      図１
2006074669.tif 000002
【特許請求の範囲】
【請求項１】
複数の地点に設置され、その地点における１以上の装置から入力される情報を収集し、収集した情報を送信する複数のテレメータ装置と、
前記複数のテレメータ装置から送信される情報を受信し、受信した情報をテレメータ情報として記憶・管理するテレメータセンタ管理装置と、
前記テレメータセンタ管理装置に接続され、前記テレメータセンタ管理装置が記憶・管理するテレメータ情報のうち、携帯電話から送信される情報によって指示された項目のテレメータ情報を携帯電話に送信するテレメータ情報提供サーバと、
前記テレメータ情報提供サーバが送信するテレメータ情報を受信して、表示する携帯電話と
を備えたテレメータ情報監視システムであって、
前記携帯電話は、表示すべきテレメータ情報の項目を指示する表示項目指示情報を前記テレメータ情報提供サーバへ送信し、
前記テレメータ情報提供サーバは、前記表示項目指示情報を受信し、その表示項目指示情報が指示する項目のテレメータ情報を前記テレメータセンタ管理装置から取得し、その取得したテレメータ情報をテレメータ表示情報として前記携帯電話へ送信し、
前記携帯電話は、前記テレメータ情報提供サーバが送信する前記テレメータ表示情報を受信し、前記テレメータ表示情報を表示する
ことを特徴とするテレメータ情報監視システム。
【請求項２】
請求項１に記載のテレメータ情報監視システムであって、さらに、
前記携帯電話は、
前記テレメータ表示情報を表示するためのテレメータ情報表示プログラムと、前記テレメータ表示情報を表示するに際して使用される情報のうち、その表示のたびには変化しない固定表示情報とを、前記テレメータ情報提供サーバからあらかじめダウンロードしておき、
前記テレメータ表示情報を表示するに際しては、前記テレメータ情報表示プログラムにより、前記テレメータ表示情報と前記固定表示情報とを併せて表示する
ことを特徴とするテレメータ情報監視システム。
【請求項３】
請求項１または請求項２に記載のテレメータ情報監視システムであって、さらに、
前記テレメータセンタ管理装置は、前記記憶・管理するテレメータ情報に異常を検出した場合には、検出した異常のテレメータ情報を前記テレメータ情報提供サーバへ送付し、
前記テレメータ情報提供サーバは、前記異常のテレメータ情報の送付を受けて、所定の電話番号を有する携帯電話へテレメータ情報の異常を通知する電子メールを送信する
ことを特徴とするテレメータ情報監視システム。
【請求項４】
請求項１ないし請求項３のいずれかの一項に記載のテレメータ情報監視システムにおいて、
前記テレメータセンタ管理装置は、前記テレメータ情報提供サーバを兼ねる
ことを特徴とするテレメータ情報監視システム。
【請求項５】
複数の地点に設置され、その地点における１以上の装置から入力される情報を収集し、収集した情報を送信する複数のテレメータ装置と、
前記複数のテレメータ装置から送信される情報を受信し、受信した情報をテレメータ情報として記憶・管理するテレメータセンタ管理装置と、
前記テレメータセンタ管理装置に接続され、前記テレメータセンタ管理装置が記憶・管理するテレメータ情報のうち、携帯電話から送信される情報によって指示された項目のテレメータ情報を携帯電話に送信するテレメータ情報提供サーバと、
前記テレメータ情報提供サーバが送信するテレメータ情報を受信して、表示する携帯電話と
を備えたテレメータ情報監視システムにおけるテレメータ情報提供サーバであって、
前記テレメータ情報提供サーバは、
前記携帯電話が送信する、前記携帯電話が表示すべきテレメータ情報の項目を指示する表示項目指示情報を受信し、
前記表示項目指示情報が指示する項目のテレメータ情報を前記テレメータセンタ管理装置から取得し、その取得したテレメータ情報をテレメータ表示情報として前記携帯電話へ送信する
ことを特徴とするテレメータ情報提供サーバ。
【請求項６】
前記テレメータ情報提供サーバは、さらに、
前記携帯電話がテレメータ表示情報を表示するためのテレメータ情報表示プログラムと、前記前記携帯電話がテレメータ表示情報を表示するに際して使用される情報のうち、その表示のたびには変化しない固定表示情報とを、前記携帯電話の求めに応じて前記携帯電話へ送信する、
ことを特徴とする請求項５に記載のテレメータ情報提供サーバ。
【請求項７】
前記テレメータ情報提供サーバは、さらに、
前記テレメータセンタ管理装置が前記テレメータ情報の異常を検出したときに送付する前記異常のテレメータ情報を受信した場合には、所定の電話番号を有する携帯電話へテレメータ情報の異常を通知する電子メールを送信する
ことを特徴とする請求項５または請求項６に記載のテレメータ情報提供サーバ。
【請求項８】
複数の地点に設置され、その地点における１以上の装置から入力される情報を収集し、収集した情報を送信する複数のテレメータ装置と、
前記複数のテレメータ装置から送信される情報を受信し、受信した情報をテレメータ情報として記憶・管理するテレメータセンタ管理装置と、
前記テレメータセンタ管理装置に接続され、前記テレメータセンタ管理装置が記憶・管理するテレメータ情報のうち、携帯電話から送信される情報によって指示された項目のテレメータ情報を携帯電話に送信するテレメータ情報提供サーバと、
前記テレメータ情報提供サーバが送信するテレメータ情報を受信して、表示する携帯電話と
を備えたテレメータ情報監視システムにおける携帯電話であって、
前記携帯電話は、
自己が表示すべきテレメータ情報の項目を指示する表示項目指示情報を前記テレメータ情報提供サーバへ送信し、
前記テレメータ情報提供サーバが前記表示項目指示情報を受信し、その表示項目指示情報が指示する項目のテレメータ情報を前記テレメータセンタ管理装置から取得し、送信するテレメータ情報を、テレメータ表示情報として受信し、
前記受信した前記テレメータ表示情報を自己が備える表示部に表示する
ことを特徴とする携帯電話。
【請求項９】
前記携帯電話は、さらに、
前記テレメータ表示情報を表示するためのテレメータ情報表示プログラムと、前記テレメータ表示情報を表示するに際して使用される情報のうち、その表示のたびには変化しない固定表示情報とを、前記テレメータ情報提供サーバからあらかじめダウンロードしておき、
前記テレメータ表示情報を表示するに際して、前記テレメータ情報表示プログラムにより、前記テレメータ表示情報と前記固定表示情報とを併せて自己が備える表示部に表示する
ことを特徴とする請求項８に記載の携帯電話。
【請求項１０】
前記携帯電話は、さらに、
前記テレメータセンタ管理装置が前記テレメータ情報の異常を検出したときに、前記テレメータ情報提供サーバが送信したテレメータ情報の異常を通知する電子メールを受信する
ことを特徴とする請求項８または請求項９に記載の携帯電話。
【発明の詳細な説明】
【技術分野】
【０００１】
本発明は、上下水道施設の監視システム等において、遠隔地にある諸施設・設備で得られる情報を監視するテレメータ情報監視システム、テレメータ情報提供サーバ、および、携帯電話に関する。
【背景技術】
【０００２】
現在、多くの分野において電話回線やインターネットを介して遠隔地にある諸施設・設備が出力する情報を収集し、収集した情報を中央のコンピュータで監視する集中監視システムが普及している。このような集中監視システムにおいては、中央のコンピュータが設置された監視センタにおいて遠隔地の諸施設・設備の状況を把握することができるので、中小の施設には係員を駐在させる必要はない。係員は、例えば、中央のコンピュータが遠隔地の諸施設・設備におけるシステムの異常を検知したとき、あるいは、定期点検をするときに、現地へ行けばよい。こうすることによって、人件費を節約することができる。
【０００３】
ところが、一つの自治体等の共同体が管理する上下水道の諸施設・設備等は、数箇所ないし１０数箇所の地点に散在して設けられることが多い。このような上下水道の諸施設・設備を、例えば、係員が定期点検のために巡回しているときに、監視センタにおいて、ある施設・設備の異常が発見されたとする。このような場合には、従来は、監視センタから巡回中の係員に携帯電話によって、その異常が通報される。しかしながら、電話による口頭での情報伝達は、多くの情報を正確に伝えることができないという欠点がある。従って、係員は、異常とされた施設・設備の現場に到着しなければ、異常の詳細な状況を知ることができなかった。また、係員が伝達内容を聞き誤って、例えば、異常のない施設・設備の設置箇所へ行くこともあった。
【０００４】
特許文献１では、中央のコンピュータが施設・設備の異常を発見した場合には、その旨を通知する電子メールを係員が保持する携帯電話へ発信するとしている。電子メールによる情報伝達は、伝達内容が文字情報として記録が残されるので、情報伝達時における伝達誤りを回避することができる。すなわち、電子メールを用いることによって、口頭での情報伝達には誤りが生じ易いという欠点を除去することができる。
【特許文献１】特開２００４−１８７２６０号公報（段落００２１〜００２３、図１、図４）
【発明の開示】
【発明が解決しようとする課題】
【０００５】
しかしながら、携帯電話における電子メールによる情報伝達は、主として文字情報による情報伝達であるため、どうしても十分な情報を伝達することができない。たとえ、複数の施設・設備の多数の計測データを電子メールで送付されてきても、それが単なるデータの羅列であれば、係員はそのデータを処理することができず、困惑するだけである。
【０００６】
一般に、係員がシステム異常の原因を探ろうとすると、異常と判定された施設・設備の計測データのみならずその関連施設・設備の計測データ、さらには、過去の履歴を含むデータが必要となる。しかも、それらの計測データは、異常の状況に応じて係員が欲しいと思うデータが、その都度提供されることが必要である。当然ながら、係員が欲しいと思うデータは、施設・設備の設置場所へ到着すれば自由に入手することができる。また、監視センタでもそれらのデータを自由に閲覧することができる。
【０００７】
しかしながら、施設・設備を巡回中に、例えば、電子メールにより異常等の通知を受けた係員は、その異常が発見された施設・設備やその関連施設・設備の詳しい計測データをその場ですぐに自由に入手できる状況にあるとは限らない。したがって、係員が異常の原因を探ろうとしても、それをすぐに開始できるとは限らない。その結果、異常の原因追求が遅延することも多々あることになる。
【０００８】
以上に鑑み、本発明の目的は、市町村等の地域に散在するように設けられた上下水道等の諸施設におけるテレメータ装置が収集した情報を、その施設の係員が、いつでも、どこででも、必要とする情報を迅速に取得するとともに、その情報の内容を理解しやすい形で表示することが可能なテレメータ情報監視システム、テレメータ情報提供サーバ、および、携帯電話を提供することにある。
【課題を解決するための手段】
【０００９】
前記課題を解決するために、請求項１に記載の発明のテレメータ情報監視システムは、複数の地点に設置され、その地点における１以上の装置から入力される情報を収集し、収集した情報を送信する複数のテレメータ装置と、その複数のテレメータ装置から送信される情報を受信し、受信した情報をテレメータ情報として記憶・管理するテレメータセンタ管理装置と、そのテレメータセンタ管理装置に接続され、前記テレメータセンタ管理装置が記憶・管理するテレメータ情報のうち、携帯電話から送信される情報によって指示された項目のテレメータ情報を携帯電話に送信するテレメータ情報提供サーバと、そのテレメータ情報提供サーバが送信するテレメータ情報を受信して、表示する携帯電話とを備えたテレメータ情報監視システムであって、携帯電話は、表示すべきテレメータ情報の項目を指示する表示項目指示情報をテレメータ情報提供サーバへ送信し、テレメータ情報提供サーバは、その表示項目指示情報を受信し、表示項目指示情報が指示する項目のテレメータ情報をテレメータセンタ管理装置から取得し、その取得したテレメータ情報をテレメータ表示情報として携帯電話へ送信し、携帯電話は、前記テレメータ情報提供サーバが送信する前記テレメータ表示情報を受信し、前記テレメータ表示情報を表示することを特徴とする。
【００１０】
請求項１に記載のテレメータ情報監視システムによれば、複数の地点に設置された複数のテレメータ装置によって時々刻々取得されるテレメータ情報は、テレメータセンタ管理装置によって記憶・管理される。また、テレメータセンタ管理装置にはテレメータ情報提供サーバが接続されており、テレメータ情報提供サーバは、その端末装置として機能する携帯電話からの表示項目指示情報を受信して、その表示項目指示情報が示すテレメータ情報をテレメータセンタ管理装置から取得し、その取得したテレメータ情報を携帯電話へ送信する。携帯電話は、受信したテレメータ情報、つまり、先に送信した表示項目指示情報が示すテレメータ情報を表示する。
【００１１】
これによって、携帯電話を使用する当該システムの係員は、閲覧したい情報の項目を表示項目指示情報として指定すれば、携帯電話によりその表示項目指示情報が示すテレメータ情報を取得することができ、閲覧することができる。また、端末装置として携帯電話が利用されているので、携帯電話の電波が届く範囲内であればどこででもそのテレメータ情報を閲覧することができる。従って、係員は、異常が報告された項目のテレメータ情報のみならず、それに関連する項目のテレメータ情報を、いつでもどこででも自由に閲覧することができるようになるので、システム異常の原因追求にあたっては、その対応を迅速に行うことができるようになる。
【００１２】
請求項２に記載のテレメータ情報監視システムは、請求項１に記載のテレメータ情報監視システムであって、さらに、携帯電話が、テレメータ表示情報を表示するためのテレメータ情報表示プログラムと、テレメータ表示情報を表示するに際して使用される情報のうち、その表示のたびには変化しない固定表示情報とを、テレメータ情報提供サーバからあらかじめダウンロードしておき、テレメータ表示情報を表示するに際しては、テレメータ情報表示プログラムにより、テレメータ表示情報と前記固定表示情報とを併せて表示することを特徴とする。
【００１３】
請求項２に記載のテレメータ情報監視システムによれば、携帯電話は、テレメータ表示情報を表示するためのテレメータ情報表示プログラムと、そのテレメータ情報表示プログラムが使用する固定表示情報とを、テレメータ情報提供サーバからあらかじめダウンロードしておき、そのテレメータ情報表示プログラムおよび固定表示情報を用いてテレメータ情報を表示する。すなわち、システムにカスタマイズした専用のグラフ表示プログラムや地図等の専用の固定表示情報を用いたフローシート表示プログラムを利用することができるようになる。そのため、携帯電話においては、テレメータ情報提供サーバとの間の通信に負担をかけることなく、係員が理解しやすいグラフや図によってテレメータ情報の表示を行うことができる。
【００１４】
請求項３に記載のテレメータ情報監視システムは、請求項１または請求項２に記載のテレメータ情報監視システムであって、さらに、テレメータセンタ管理装置が、記憶・管理するテレメータ情報に異常を検出した場合には、検出した異常のテレメータ情報を前記テレメータ情報提供サーバへ送付し、テレメータ情報提供サーバが、その異常のテレメータ情報の送付を受けて、所定の電話番号を有する携帯電話へテレメータ情報の異常を通知する電子メールを送信することを特徴とする。
【００１５】
請求項３に記載のテレメータ情報監視システムによれば、テレメータセンタ管理装置が、記憶・管理するテレメータ情報に異常を検出した場合には、テレメータ情報提供サーバが、その異常のテレメータ情報の送付を受けて、所定の電話番号を有する携帯電話へテレメータ情報の異常を通知する電子メールを送信する。その携帯電話を保持する係員は、テレメータ情報の異常を迅速に知ることができる。
【００１６】
請求項４に記載のテレメータ情報監視システムは、請求項１ないし請求項３のいずれかの一項に記載のテレメータ情報監視システムにおいて、テレメータセンタ管理装置が、テレメータ情報提供サーバを兼ねることを特徴とする。
【００１７】
請求項４に記載のテレメータ情報監視システムによれば、テレメータセンタ管理装置とテレメータ情報提供サーバとを一つのコンピュータに統合するので、システムの構築のコストを低減することができる。
【００１８】
請求項５ないし請求項７それぞれに記載の発明は、請求項１ないし請求項３それぞれに記載のテレメータ情報監視システムにおけるテレメータ情報提供サーバである。また、請求項８ないし請求項１０それぞれに記載の発明は、請求項１ないし請求項３それぞれに記載のテレメータ情報監視システムにおける携帯電話である。従って、その作用・効果は、前記の請求項１ないし請求項３に記載したテレメータ情報監視システムの作用・効果に含まれる。
【発明の効果】
【００１９】
以上、本発明によれば、上下水道施設監視システム等、遠隔地にある諸施設・設備で得られる情報を監視するテレメータ情報監視システムにおいて、その施設の係員は、テレメータ装置が収集した情報のうち必要とする情報を、いつでも、どこででも、迅速に、しかも理解しやすい情報として取得することが可能となる。従って、システム異常時には、係員はすぐにシステム異常の原因追求を開始することができるようになる。
【発明を実施するための最良の形態】
【００２０】
＜第１の実施形態＞
以下、本発明の実施形態について、図面を参照しながら詳細に説明する。
【００２１】
図１は、地域共同体の上水道施設におけるテレメータ情報監視システムの全体構成を示した図である。図１において、テレメータ情報監視システム１０は、地域内に散在する上水道の各種施設・設備に設けられたテレメータ装置１と、地域の中央の監視センタに設けられたテレメータセンタ管理装置２およびテレメータ情報提供サーバ３と、保守・管理担当の係員が保持する携帯電話５とにより構成される。なお、テレメータ情報提供サーバ３と携帯電話５との間には、その間で行われるデータ通信を受け持つ携帯電話電話局４が介在する。
【００２２】
ここで、テレメータ装置１とテレメータセンタ管理装置２とは、専用回線、公衆電話回線、ＬＡＮ（Local Area Network）またはインターネット等のテレメータ通信回線６によって接続される。また、携帯電話５は、テレメータ情報提供サーバ３の端末装置として使用され、携帯電話５とテレメータ情報提供サーバ３とは、携帯電話電話局４および携帯電話の無線ネットワークを介して接続される。なお、テレメータ情報提供サーバ３と携帯電話電話局４とは、専用回線、公衆電話回線またはインターネットにより接続され、また、テレメータセンタ管理装置２とテレメータ情報提供サーバ３とは、通常、ＬＡＮによって接続される。
【００２３】
例えば、上水道施設としての浄水場には、複数のテレメータ装置１が設置されている。それらのテレメータ装置１は、浄水場の着水池や配水池等の水位計や、受水管、配水管等における流量計に接続されており、それらの水位計や流量計の計測データを、例えば、所定の時間間隔ごとに読み取り、その計測データをテレメータセンタ管理装置２へ送信する。また、浄水場の場合、テレメータ装置１は、各池や各配水管等において残留塩素の濃度等を計測し、その計測データをテレメータセンタ管理装置２へ送信する。さらには、テレメータ装置１は、浄水場に設置されている各種計測装置や各種ポンプ等の動作状況を示すデータを取得し、そのデータについてもテレメータセンタ管理装置２へ送信する。
【００２４】
テレメータセンタ管理装置２は、遠隔地に設置されているテレメータ装置１から送信される各種の計測データを受信し、その計測データに異常がないか否かをチェックするとともに、受信した計測データを、例えば、テレメータ装置１が設置されている浄水場や計測データの種類ごとに仕分けして、所定のデータ記憶装置に保管する。以下、テレメータセンタ管理装置２およびテレメータ情報提供サーバ３について、詳しく説明する。
【００２５】
図２は、テレメータセンタ管理装置およびテレメータ情報提供サーバの構成を示した図である。ここでは、まず、テレメータセンタ管理装置２の構成と機能について説明する。図２において、テレメータセンタ管理装置２は、情報処理部２１と、情報記憶部２２と、ＬＡＮ制御部２３と、テレメータ回線制御部２４と、監視用表示盤２５とを含んで構成される。
【００２６】
情報処理部２１は、少なくともＣＰＵ（Central Processing Unit）とメモリとからなるコンピュータであり、テレメータセンタ管理装置２の機能は、ＣＰＵがメモリに格納されたプログラムを実行することにより実現される。情報処理部２１は、情報記憶部２２、ＬＡＮ制御部２３、テレメータ回線制御部２４および監視用表示盤２５に接続され、これら各部２２，２３，２４および監視用表示盤２５の動作を制御する。なお、情報処理部２１のメモリは、ＲＡＭ（Random Access Memory）等の半導体メモリおよびハードディスク磁気記憶装置等によって構成される。
【００２７】
情報記憶部２２は、大容量のハードディスク記憶装置等により構成され、情報処理部２１がテレメータ回線制御部２４を介してテレメータ装置１から取得するテレメータ情報（以下、テレメータ装置１によって得られる各種の計測データをテレメータ情報と総称する）を、情報処理部２１の指示に基づき記憶する。その場合、テレメータ情報は、情報記憶部２２において、そのテレメータ情報が取得されたテレメータ装置1の設置場所、例えば、浄水場別に分別されて記憶される。例えば、図２の例では、テレメータ情報は、大川水系の浄水場のテレメータ情報、温川水系の浄水場のテレメータ情報、…、中池水系の浄水場のテレメータ情報というように分別されて記憶されている。さらに、各浄水場のテレメータ情報は、水位データ、流量データ、…、機器動作状況データというようにデータの種類別に分類して記憶される。
【００２８】
ＬＡＮ制御部２３は、情報処理部２１とＬＡＮ７とを接続し、その間で行われるデータ送受信に際しては、情報処理部２１の制御の下に所定のプロトコルに従った通信制御を実行する。同様に、テレメータ回線制御部２４は、情報処理部２１とテレメータ通信回線６とを接続し、その間で行われるデータ送受信に際しては、情報処理部２１の制御の下に所定のプロトコルに従った通信制御を実行する。
【００２９】
監視用表示盤２５は、例えば、テレメータセンタ管理装置２が設置されたテレメータ監視センタ室内の壁面上に設けられた大型の表示盤であり、各種のランプや表示管、さらには、プラズマ表示装置等によって構成されている。監視用表示盤２５には、例えば、浄水場の所在地が地図上に示され、また、各浄水場における設備の稼働状況が表示される。稼働状況の表示内容としては、例えば、各浄水場の着水池や配水池の水位データ、各配水管における流量データ、各ポンプや計測装置等の機器動作状況データ等がある。
【００３０】
以上のように構成されたテレメータセンタ管理装置２は、情報処理部２１がその保持するプログラムを実行することによって、次のような機能を実現する。まず、テレメータセンタ管理装置２は、テレメータ装置１が送信するテレメータ情報を受信して、その受信したテレメータ情報を、テレメータ装置１が設置されている浄水場や計測データの種類ごとに仕分けして、情報記憶部２２に記憶する。また、その受信したテレメータ情報に、異常を示す計測データの有無をチェックし、異常を示す計測データがあった場合には、そのデータを付して、その旨、テレメータ情報提供サーバ３へ通知する。さらに、テレメータセンタ管理装置２は、テレメータ情報提供サーバ３から表示項目指示情報の送付を受信した場合には、情報記憶部２２を検索することによって、その表示項目指示情報が示す項目のテレメータ情報（以下、テレメータ表示情報という）を取得し、その取得したテレメータ表示情報をテレメータ情報提供サーバ３へ返送する。
【００３１】
次に、テレメータ情報提供サーバ３の構成と機能について説明する。図２において、テレメータ情報提供サーバ３は、情報処理部３１と、情報記憶部３２と、ＬＡＮ制御部３３と、通信制御部３４とを含んで構成される。
【００３２】
情報処理部３１は、少なくともＣＰＵ（Central Processing Unit）とメモリとからなるコンピュータであり、テレメータ情報提供サーバ３の機能は、ＣＰＵがメモリに格納されたプログラムを実行することにより実現される。情報処理部３１は、情報記憶部３２、ＬＡＮ制御部３３および通信制御部３４に接続され、これら各部３２，３３，３４の動作を制御する。なお、情報処理部３１のメモリは、ＲＡＭ等の半導体メモリおよびハードディスク磁気記憶装置等によって構成される。
【００３３】
情報記憶部３２は、ハードディスク磁気記憶装置等により構成され、テレメータ情報提供サーバ３が携帯電話５へ提供するダウンロードプログラムおよびフローシートデータを記憶する。ここで、ダウンロードプログラムとは、携帯電話５をテレメータ情報提供サーバ３の端末装置として動作させるためのアプリケーションプログラムである。また、フローシートデータとは、例えば、上水道の上水の流れに沿って浄水場の位置を示した図のデータであり、また、例えば、浄水場における配水池や配水のパイプやポンプ等の諸設備の配置を示した図のデータである。これらの図のデータは、ダウンロードプログラムが携帯電話５において実行されるときに、その表示データの一部として使用される。
【００３４】
情報記憶部３２は、また、携帯電話５を保持する係員に関する係員データを記憶する。ここで、係員データとは、係員が携帯電話５によりテレメータ情報提供サーバ３にログインする際のログインＩＤおよびそのパスワードであり、また、テレメータ情報提供サーバ３がシステムの異常を通知する電子メールを送信する際に送信先となる携帯電話５の電話番号または電子メールアドレス等である。
【００３５】
ＬＡＮ制御部３３は、情報処理部３１とＬＡＮ７とを接続し、その間で行われるデータ送受信に際しては、情報処理部３１の制御の下に所定のプロトコルに従った通信制御を実行する。同様に、通信制御部３４は、テレメータ情報提供サーバ３と携帯電話電話局４とをつなぐ通信回線に接続され、その間で行われるデータ送受信に際しては、情報処理部３１の制御の下で所定のプロトコルに従った通信制御を実行する。
【００３６】
以上のように構成されたテレメータ情報提供サーバ３は、情報処理部３１がその保持するプログラムを実行することによって、次のような機能を実現する。まず、テレメータ情報提供サーバ３は、携帯電話５からのアクセスを受けて、そのログインＩＤおよびそのパスワードによって、アクセスした係員すなわち登録された携帯電話５の認証を行う。そして、その携帯電話５からの求めに応じて、ダウンロードプログラムおよびフローシートデータを携帯電話５へ送信する。また、携帯電話５から送信される表示項目指示情報を受信した場合には、その表示項目指示情報が示す項目のテレメータ情報をテレメータセンタ管理装置２から取得し、取得したテレメータ情報を携帯電話５へ返送する。また、テレメータセンタ管理装置２からシステムの異常を示すデータの送付を受けた場合には、そのデータを付してシステムの異常を通知する電子メールを、係員データに登録された携帯電話５の電話番号または電子メールアドレスへ送信する。
【００３７】
次に、携帯電話５の構成と機能について説明する。携帯電話５は、よく知られているように無線送受信機および送受話器を備え、携帯電話電話局４を介して携帯電話５同士で通話をすることができる。携帯電話５は、さらに、数字および文字のデータが入力可能なボタンキーと、キー入力したデータおよび受信したデータを表示可能な液晶表示装置とを備えており、携帯電話電話局４に備えられた携帯電話管理サーバ（図示せず）との間でデータ通信を行うことができる。
【００３８】
携帯電話５は、無線送受信機、送受話器、ボタンキー、液晶表示装置等を制御するためのＣＰＵおよびメモリを備えている。そして、そのメモリには各種のプログラムが格納され、ＣＰＵがそのプログラムを実行することによって、携帯電話５が有する所定の機能が実現される。なお、携帯電話５が内蔵するメモリの多くの部分は、電気的に書き換え可能な不揮発性半導体メモリによって構成される。
【００３９】
図３は、携帯電話が備えるプログラムの構成を示したものである。図３において、携帯電話５は、プログラムとして、ＯＳ（Operating System）５１と、ネイティブプログラム５２と、ダウンロードプログラム５３とを備えている。ここで、ネイティブプログラム５２とは、携帯電話５の本来の機能を実現するために携帯電話機メーカが作成し、インストールしたプログラムである。ネイティブプログラム５２としては、キーインした電話番号を携帯電話電話局４へ送信し、接続された通話相手との間の通話を制御する通話制御プログラム、電子メールの送受信や表示を制御するメール制御プログラム、インターネット上のサーバとの通信を行うＨＴＴＰ（Hyper Text Transfer Protocol）制御プログラム等から構成される。
【００４０】
また、ダウンロードプログラム５３とは、携帯電話５を種々の目的に使用するために、携帯電話５の利用者が作成し、インストールすることが可能なプログラムである。本実施形態における上水道施設のテレメータ情報監視システム１０では、ダウンロードプログラム５３として、メニュー表示プログラム、グラフ表示プログラム、フローシート表示プログラム、フローシートデータ等が準備されている。これらのダウンロードプログラム５３は、携帯電話５をテレメータ情報提供サーバ３の端末装置として機能させるためのプログラムである。
【００４１】
本実施形態においては、ダウンロードプログラム５３は、テレメータ情報提供サーバ３の情報記憶部３２に記憶されている。そこで、上水道施設のテレメータ情報監視システム１０の保守・管理担当の係員は、携帯電話５で所定の操作をすることにより、ネイティブのＨＴＴＰ制御プログラムを動作させて、テレメータ情報提供サーバ３の情報記憶部３２に記憶されているダウンロードプログラム５３を携帯電話５にダウンロードする。このダウンロードが完了すると、携帯電話５をテレメータ情報提供サーバ３の端末装置として機能させることができる。
【００４２】
図４は、携帯電話がテレメータ情報提供サーバの端末装置として機能するときの携帯電話、テレメータ情報提供サーバおよびテレメータセンタ管理装置それぞれの動作を示した図である。また、図５〜図８は、図４の動作において携帯電話に表示される画面の表示例を示した図である。まず、図４の一連の動作を開始するに当たって、携帯電話５では、係員が所定のキーイン操作をすることによりダウンロードプログラム５３の実行を開始させる。すると、本実施形態では、まず、メニュー表示プログラムが実行され、携帯電話５には、図５のような画面が表示される。
【００４３】
図５は、浄水場のフローシートを選択するためのメニュー表示画面の例を示した図である。図５に示した例では、係員は、４つの水系のうち「山川水系」を選択し、さらに、山川水系にある３つの浄水場のうち「川辺水源」浄水場を選択している。次に、係員が、図５の表示画面において「フローシート」のボタンを押すと、携帯電話５は、フローシート表示プログラムを実行し、図６のような、例えば、川辺水源浄水場のフローシートを表示する。
【００４４】
図６は、川辺水源浄水場における諸施設・設備の配置を示したフローシートの表示画面の例を示した図である。ここで、表示すべき浄水場全体のフローシートを一つの画面に表示できない場合には、複数の画面に分割して表示する。その場合、４つのスクロールボタンを用いることによって表示画面のスクロールを行う。
【００４５】
これらのフローシートを表示するためのフローシートデータは、その都度テレメータ情報提供サーバ３から送信するのではなく、あらかじめテレメータ情報提供サーバ３からダウンロードプログラム５３の一部として携帯電話５へダウンロードしておく。フローシートデータは、頻繁に変更されるデータではないので、固定表示情報として取り扱うことができるからである。このような固定表示情報をあらかじめダウンロードしておくことにより、表示に際して通信の負担を軽減することができるとともに、表示の応答速度を速くすることができる。
【００４６】
フローシート表示画面は、また、携帯電話５に表示させるテレメータ情報を選択する表示項目指示情報の選択画面にもなっている。すなわち、フローシート表示画面において表示されている設備等を選択することにより、次に表示されるテレメータ情報がその選択された設備等によって取得されたテレメータ情報であることを指示する。例えば、図６の表示画面の例において、「配水管６３」を選択することは、配水管６３における配水流量の表示を指示することを意味している。
【００４７】
以上、図５および図６の画面が表示されるまでの係員の操作、および、それに伴う携帯電話５の動作は、図４において携帯電話５が表示項目指示情報選択画面を表示するステップ（ステップＳ４１）に相当している。次に、携帯電話５において、表示項目指示情報が選択される（ステップＳ４２）。このステップを実行するには、係員は、例えば、図６の表示画面例で、「配水管６７」を選択し、「決定」ボタンを押す。すると、携帯電話５は、山川水系、川辺水源、配水管６３を示す情報、つまり、表示項目指示情報をテレメータ情報提供サーバ３へ送信する（ステップＳ４３）。
【００４８】
テレメータ情報提供サーバ３は、これらの表示項目指示情報を受信すると（ステップＳ４４）、その表示項目指示情報が示すテレメータ表示情報の検索を、テレメータセンタ管理装置２に対し指示する（ステップＳ４５）。テレメータセンタ管理装置２は、その指示を受けると、その情報記憶部２２に記憶しているテレメータ情報の中から表示項目指示情報によって指示されたテレメータ表示情報を検索し（ステップＳ４６）、その検索の結果得られたテレメータ表示情報をテレメータ情報提供サーバ３へ送付する。このようにして、テレメータ情報提供サーバ３は、テレメータ表示情報、例えば、山川水系の川辺水源浄水場における配水管６３の配水流量のその日の履歴情報等を取得する（ステップＳ４７）。そして、テレメータ情報提供サーバ３は、取得したテレメータ表示情報を携帯電話５へ送信する（ステップＳ４８）。
【００４９】
携帯電話５は、テレメータ情報提供サーバ３が送信するテレメータ表示情報を受信し（ステップＳ４９）、受信したテレメータ表示情報を携帯電話５に備え付けの液晶表示装置上に表示する（ステップＳ５０）。図７は、テレメータ表示情報をグラフ表示した表示画面の例を示した図である。図７には、図６の表示項目指示情報の選択画面で指示した「山川水系の川辺水源浄水場における配水管６３」の配水流量の経時変化グラフが表示されている。なお、このようなグラフの表示に際しては、あらかじめダウンロードされたグラフ表示プログラムが実行される。
【００５０】
また、図７のようなグラフの表示画面は、同時に、表示項目指示情報の選択画面にもなっている。例えば、図７において、「積算量」のボタンを押すと、当該配水管６７における、例えば、１日毎に配水流量を積算した積算配水量の過去の履歴が表示される。このとき、携帯電話５、テレメータ情報提供サーバ３およびテレメータセンタ管理装置２においては、図４に示した動作が実行される。
【００５１】
さらに、図７の表示画面例において、「ポンプ」ボタンを押すと、当該配水管６７に関連付けられて登録された、例えば「ポンプ７５」の異常の有無等を示す情報が表示される。また、図７の表示画面例において、「戻る」ボタンを押すと、図６のフローシート表示画面へ戻る。フローシート表示画面へ戻ると、係員は、新たな表示項目を指示することができる。
【００５２】
また、図６のフローシート表示画面において、「戻る」ボタンを押すと、図５の浄水場を選択するためのメニュー表示画面へ戻ることができる。また、図５のメニュー表示画面において、「異常一覧」ボタンを押すと、図８に示すような異常一覧表示画面が表示される。
【００５３】
図８は、図５で選択した浄水場における異常一覧を表示した表示画面の例である。係員は、この表示画面により、浄水場における異常の状況の大要を把握することができる。また、図８の表示画面において、「フローシート」ボタンを押すと、図６のフローシート表示画面を表示することができる。また、図８の表示画面において、例えば、「配水池Ｂの水位低下」の項目を選択した上で、「グラフ」ボタンを押すと、配水池Ｂの経時変化がグラフで表わされる。
【００５４】
以上のような携帯電話５を利用することによって、係員は、いつでもどこででも、自分が欲しいと思う情報を自由に閲覧することができる。従って、携帯電話５がテレメータ情報提供サーバ３から送信されたシステムの異常を通知する電子メールを受信すると、その携帯電話５を保持している係員は、直ちに、異常とされた施設・設備またはその関連施設・設備のテレメータ表示情報を得ることができる。しかも、得られたテレメータ表示情報は、グラフ表示された情報である。グラフ表示された情報の場合、係員は、文字だけの情報に比べ、はるかに多くの情報を受け取ることができる。よって、係員は、異常原因の追求をいつでもどこででもすぐに開始できるようになるとともに、その追求の作業が容易となる。そのため、システムの異常状態を正常状態に回復させるまでの回復時間を短縮することが可能となる。
【００５５】
なお、以上の実施形態においては、テレメータセンタ管理装置２とテレメータ情報提供サーバ３とを互いにＬＡＮ７で結合した二つのコンピュータを用いて実現しているが（図２参照）、テレメータセンタ管理装置２とテレメータ情報提供サーバ３とを一つのコンピュータによって実現することもできる。すなわち、テレメータセンタ管理装置２がテレメータ情報提供サーバ３を兼ねる構成とすることが可能である。この場合には、ＬＡＮ７およびＬＡＮ制御部２３を省くことができ、テレメータ情報提供サーバ３の通信制御部３４をテレメータセンタ管理装置２に設けるようにすればよい。また、情報記憶部３２に記憶されている内容は、情報記憶部２２に記憶するようにすればよい。
【００５６】
このように、テレメータセンタ管理装置２がテレメータ情報提供サーバ３を兼ねる構成とすることにより、テレメータ情報監視システム１０を構築するコストを低減することができる。
【図面の簡単な説明】
【００５７】
【図１】本発明の実施形態におけるテレメータ情報監視システムの全体構成を示した図である。
【図２】本発明の実施形態におけるテレメータセンタ管理装置およびテレメータ情報提供サーバの構成を示した図である。
【図３】本発明の実施形態における携帯電話が備えるプログラムの構成を示したものである。
【図４】本発明の実施形態における携帯電話がテレメータ情報提供サーバの端末装置として機能するときの携帯電話、テレメータ情報提供サーバおよびテレメータセンタ管理装置それぞれの動作を示した図である。
【図５】本発明の実施形態において浄水場のフローシートを選択するためのメニュー表示画面の例を示した図である。
【図６】本発明の実施形態において浄水場における諸施設・設備の配置を示したフローシートの表示画面の例を示した図である。
【図７】本発明の実施形態においてテレメータ表示情報をグラフ表示した表示画面の例を示した図である。
【図８】本発明の実施形態において図５のメニュー表示画面で選択した浄水場における異常一覧を表示した表示画面の例である。
【符号の説明】
【００５８】
１      テレメータ装置
２      テレメータセンタ管理装置
３      テレメータ情報提供サーバ
４      携帯電話電話局
５      携帯電話
６      テレメータ通信回線
７      ＬＡＮ
１０    テレメータ情報監視システム
２１    情報処理部
２２    情報記憶部
２３    ＬＡＮ制御部
２４    テレメータ回線制御部
２５    監視用表示盤
３１    情報処理部
３２    情報記憶部
３３    ＬＡＮ制御部
３４    通信制御部
５１    ＯＳ
５２    ネイティブプログラム
５３    ダウンロードプログラム
【図１】
2006074669.tif 000003
【図２】
2006074669.tif 000004
【図３】
2006074669.tif 000005
【図４】
2006074669.tif 000006
【図５】
2006074669.tif 000007
【図６】
2006074669.tif 000008
【図７】
2006074669.tif 000009
【図８】
2006074669.tif 000010